(57)【特許請求の範囲】
【請求項１】
横架材接合金具を用いて、木造建築物における、第１横架材又は鉛直材の側面部に第２横架材を直角に固定してなる横架材の接合構造であって、
上記横架材接合金具は、第１横架材又は鉛直材の側面に面接固定された固定板部と、該固定板部に対して直角に設けられ、第２横架材の接合端部が載置された受け板部と、該固定板部及び該受け板部間に連設され、該第２横架材の側面にそれぞれ固定された一対の連設板部とを備えており、
一対の上記連設板部それぞれは、上記第１横架材又は鉛直材の側面から離れるに連れて下降するように傾斜した下縁部を有し、上記受け板部は、一対の該連設板部それぞれの該下縁部と連続する、上記第１横架材又は鉛直材寄りの一側縁を有しており、
上記受け板部の上記第１横架材又は鉛直材寄りの上記一側縁と、該第１横架材又は鉛直材の側面との間に隙間が形成され、上記第２横架材の切断端部の下面が該隙間を介して下方に向かって露出しており、
上記隙間を介して露出する上記第２横架材の下面に、筋交い固定金物が当接固定されており、
上記筋交い固定金物は、上記第２横架材の上記下面に当接固定された第１板状面と、第２横架材より下方に位置する鉛直材の側面に当接固定された第２板状面と、筋交いの側面に固定された第３板状面とを有し、第１〜第３板状面が相互に直角に連設されているものであり、
上記固定板部には、該固定板部をボルト、ビス、釘等の固定具により上記第１横架材又は上記鉛直材に固定するための複数の固定用孔が設けられており、
上記固定板部は、第２横架材の端面に対向する面に複数の凹陥部を有し、該凹陥部の裏面は、上記第１横架材又は上記鉛直材の内部に向かって突出しており、上記固定用孔が、上記凹陥部の底部中央に形成されており、
上記固定用孔に上記固定具が挿通されており、該固定具の頭部は、上記凹陥部に収容されて上記固定板部から突出していないことを特徴とする横架材の接合構造。
【請求項２】
横架材接合金具を用いて、木造建築物における、第１横架材又は鉛直材の側面部に第２横架材を直角に固定してなる横架材の接合構造であって、
上記横架材接合金具は、第１横架材又は鉛直材の側面に面接固定された固定板部と、該固定板部に対して直角に設けられ、第２横架材の接合端部が載置された受け板部と、該固定板部及び該受け板部間に連設され、該第２横架材の側面にそれぞれ固定された一対の連設板部とを備えており、
一対の上記連設板部それぞれは、上記第１横架材又は鉛直材の側面から離れるに連れて下降するように傾斜した下縁部を有し、上記受け板部は、一対の該連設板部それぞれの該下縁部と連続する、上記第１横架材又は鉛直材寄りの一側縁を有しており、
上記受け板部の上記第１横架材又は鉛直材寄りの上記一側縁と、該第１横架材又は鉛直材の側面との間に隙間が形成されており、
ホールダウン金物に一端部が固定されたボルトが、上記隙間を通ると共に上記第２横架材を上下に貫通する状態で配されており、
上記固定板部には、該固定板部をボルト、ビス、釘等の固定具により上記第１横架材又は上記鉛直材に固定するための複数の固定用孔が設けられており、
上記固定板部は、第２横架材の端面に対向する面に複数の凹陥部を有し、該凹陥部の裏面は、上記第１横架材又は上記鉛直材の内部に向かって突出しており、上記固定用孔が、上記凹陥部の底部中央に形成されており、
上記固定用孔に上記固定具が挿通されており、該固定具の頭部は、上記凹陥部に収容されて上記固定板部から突出していないことを特徴とする横架材の接合構造。
【請求項３】
上記横架材接合金具は、一枚の金属板を折曲して形成してあること特徴とする請求項１又は２に記載の横架材の接合構造。
【請求項４】
上記横架材接合金具は、上記連設板部の上方に、上記固定板部及び上記連設板部に連設され且つ該連設板部と同一面上にある補強板部が延設されていることを特徴とする請求項１〜３の何れかに記載の横架材の接合構造。
【発明の詳細な説明】
【０００１】
【発明の属する技術分野】
本発明は、横架材の接合構造に関し、詳しくは、横架材の端部に複雑な加工を施すことなく、横架材接合金具を用いて、該横架材を他の横架材又は鉛直材に安定に固定することのできる横架材の接合構造に関する。
【０００２】
【従来の技術と発明が解決しようとする課題】
従来、木造建築物における梁等の横架材の端部を受け、該横架材を他の横架材の側面部に直角に接合する横架材接合金具として、図７に示すような梁受け金物１０が知られている。このような金物を第１横架材２０と第２横架材３０との接合部に用いることにより、第２横架材３０の端部を簡単且つ強固に第１横架材２０に固定することができる。
【０００３】
また、一の横架材の端部に他の横架材を接合する場合、あるいは鉛直材の側面部に横架材を接合する場合に特に適した梁受け金物として、図９の梁受け金物における一対の固定板部１０３，１０３を、互いに対向するように内側に向けて設けた梁受け金物が知られている。
【０００４】
しかし、固定板部を第２横架材３０と第１横架材２０との間に位置するように設けた梁受け金物においては、ボルト、ビス、釘等の固定具の頭部が該固定板部から第２横架材３０側に突出するため、第２横架材３０の端部に予め上記固定具の頭部を避けるための凹部を形成する必要があった。このような端部の加工には、手間が掛かり、また精度も要求されるため、建築コストを増加させる一因ともなっていた。
【０００５】
従って、本発明の目的は、横架材の端部に複雑な加工を施すことなく、横架材接合金具を用いて、該横架材を他の横架材又は鉛直材に安定に固定することのできる横架材の接合構造を提供することにある。
【０００６】
【課題を解決するための手段】
請求項１に記載の発明は、横架材接合金具を用いて、木造建築物における、第１横架材又は鉛直材の側面部に第２横架材を直角に固定してなる横架材の接合構造であって、上記横架材接合金具は、第１横架材又は鉛直材の側面に面接固定された固定板部と、該固定板部に対して直角に設けられ、第２横架材の接合端部が載置された受け板部と、該固定板部及び該受け板部間に連設され、該第２横架材の側面にそれぞれ固定された一対の連設板部とを備えており、一対の上記連設板部それぞれは、上記第１横架材又は鉛直材の側面から離れるに連れて下降するように傾斜した下縁部を有し、上記受け板部は、一対の該連設板部それぞれの該下縁部と連続する、上記第１横架材又は鉛直材寄りの一側縁を有しており、上記受け板部の上記第１横架材又は鉛直材寄りの上記一側縁と、該第１横架材又は鉛直材の側面との間に隙間が形成され、上記第２横架材の切断端部の下面が該隙間を介して下方に向かって露出しており、上記隙間を介して露出する上記第２横架材の下面に、筋交い固定金物が当接固定されており、上記筋交い固定金物は、上記第２横架材の上記下面に当接固定された第１板状面と、第２横架材より下方に位置する鉛直材の側面に当接固定された第２板状面と、筋交いの側面に固定された第３板状面とを有し、第１〜第３板状面が相互に直角に連設されているものであり、上記固定板部には、該固定板部をボルト、ビス、釘等の固定具により上記第１横架材又は上記鉛直材に固定するための複数の固定用孔が設けられており、上記固定板部は、第２横架材の端面に対向する面に複数の凹陥部を有し、該凹陥部の裏面は、上記第１横架材又は上記鉛直材の内部に向かって突出しており、上記固定用孔が、上記凹陥部の底部中央に形成されており、上記固定用孔に上記固定具が挿通されており、該固定具の頭部は、上記凹陥部に収容されて上記固定板部から突出していないことを特徴とする横架材の接合構造を提供することにより、上記目的を達成したものである（以下、第１発明というときは、この発明をいう）。
【０００７】
請求項１に記載の発明は、横架材接合金具を用いて、木造建築物における、第１横架材又は鉛直材の側面部に第２横架材を直角に固定してなる横架材の接合構造であって、上記横架材接合金具は、第１横架材又は鉛直材の側面に面接固定された固定板部と、該固定板部に対して直角に設けられ、第２横架材の接合端部が載置された受け板部と、該固定板部及び該受け板部間に連設され、該第２横架材の側面にそれぞれ固定された一対の連設板部とを備えており、一対の上記連設板部それぞれは、上記第１横架材又は鉛直材の側面から離れるに連れて下降するように傾斜した下縁部を有し、上記受け板部は、一対の該連設板部それぞれの該下縁部と連続する、上記第１横架材又は鉛直材寄りの一側縁を有しており、上記受け板部の上記第１横架材又は鉛直材寄りの上記一側縁と、該第１横架材又は鉛直材の側面との間に隙間が形成されており、ホールダウン金物に一端部が固定されたボルトが、上記隙間を通ると共に上記第２横架材を上下に貫通する状態で配されており、上記固定板部には、該固定板部をボルト、ビス、釘等の固定具により上記第１横架材又は上記鉛直材に固定するための複数の固定用孔が設けられており、上記固定板部は、第２横架材の端面に対向する面に複数の凹陥部を有し、該凹陥部の裏面は、上記第１横架材又は上記鉛直材の内部に向かって突出しており、上記固定用孔が、上記凹陥部の底部中央に形成されており、上記固定用孔に上記固定具が挿通されており、該固定具の頭部は、上記凹陥部に収容されて上記固定板部から突出していないことを特徴とする横架材の接合構造を提供することにより、上記目的を達成したものである（以下、第２発明というときは、この発明をいう）。
【０００８】
請求項３に記載の発明は、上記横架材接合金具が、一枚の金属板を折曲して形成してあること特徴とする請求項１又は２に記載の横架材の接合構造を提供することにより、上記目的を達成したものである。
【０００９】
請求項４に記載の発明は、上記横架材接合金具が、上記連設板部の上方に、上記固定板部及び上記連設板部に連設され且つ該連設板部と同一面上にある補強板部が延設されていることを特徴とする請求項１〜３の何れかに記載の横架材の接合構造を提供することにより、上記目的を達成したものである。
【００１２】
【発明の実施の形態】
以下、第１発明の横架材の接合構造の一実施形態（以下、第１実施形態ともいう）及び第２発明の横架材の接合構造の一実施形態（以下、第２実施形態ともいう）について図１〜４を参照して説明する。
ここで、図１は本発明の第１及び第２実施形態の横架材の接合構造に用いた横架材受金具を示す図で、図１（ａ）は右側面図、図１（ｂ）は正面図である。図２は、図１の横架材接合金具の使用状態における断面を固定具の正面図と共に示す図で、（ａ）はボルト等の比較的大型の固定具による固定部、（ｂ）は釘、ビス等の比較的小型の固定具による固定部を示す図である。図３は、図１の横架材接合金具を用いて横架材を鉛直材に固定する様子、及びそれにより得られる、第１発明の横架材の接合構造の一実施形態（第１実施形態）を示す図であり、図４は、図１の横架材接合金具を用いて第２横架材を第１横架材の側面に固定して得られる、第２発明の横架材の接合構造の一実施形態（第２実施形態）を示す図である。
以下、第１及び第２実施形態に用いた図1に示す横架材受金具を、第１実施形態の横架材受金具ともいう。
【００１３】
第１実施形態の横架材接合金具は、図１〜図４に示されるように、第１横架材又は鉛直材１の側面１ａに面接固定される固定板部３と、該固定板部３に対して直角に設けられ、該第１横架材又は鉛直材１に直角に固定される第２横架材２の接合端部２ａが載置される受け板部４と、該固定板部３及び該受け板部４間に連設され、該固定板部３及び該受け板部４間に連設され、該第２横架材２に固定される連設板部５とを備えている横架材接合金具であって、上記固定板部３には、該固定板部３をボルト、ビス、釘等の固定具６により上記第１横架材又は上記鉛直材に固定するための複数の固定用孔３１，３２が設けられており、上記各固定用孔３１，３２は、該固定板部３の固定時に該各固定用孔３１，３２に挿通された固定具６の頭部６ａが該固定板部３から突出しないように形成されている。
【００１４】
第１実施形態の横架材の接合構造は、図３（ｃ）に示すように、第１実施形態の横架材接合金具を用いて、第１横架材又は鉛直材１の側面１ａに第２横架材２を直角に固定してなる横架材の接合構造であって、第１実施形態の横架材接合金具における上記固定板部３を、上記固定用孔３１，３２を介してボルト、ビス、釘等の固定具６により上記第１横架材又は鉛直材１の側面１ａに面接固定し、上記第２横架材２の接合端部２ａを、該第２横架材２の端面が上記固定板部３に面接するように上記受け板部４に載置し、上記連設板部５を、該第２横架材に固定してなる。
【００１５】
以下、第１実施形態の横架材接合金具及び横架材の接合構造について詳細に説明する。
第１実施形態の横架材接合金具は、一の横架材（第２横架材）の端部を、他の横架材（第１横架材）の材端の側面又は鉛直材の側面に固定するのに特に適した梁受け金物である。
第１実施形態の横架材接合金具においては、上記固定板部３と上記受け板部４とが離れており、該固定板部３と該受け板部４との間に上記連設板部５が一対設けられ、一対の該連設板部５，５は、上記第２横架材２の両側面２ｂ，２ｂにそれぞれ面接固定されるようになっている。
また、上記固定板部３は、第１横架材又は鉛直材１の側面１ａと第２横架材２の端面との間に位置するように設けられている。より具体的には、図１（ｂ）に示すように、上記固定板部３を一対備えており、一対の該固定板部３，３は互いに同一平面上に対向して設けられている。
【００１６】
一対の上記固定板部３，３それぞれには、図１（ｂ）に示すように、該各固定板部３，３を上記第１横架材１の側面１ａに面接固定するための、複数の固定用孔３１，３２、より具体的には、大小二種類の固定用孔３１，３２が設けられている。大きい方の固定用孔（以下、大孔という）３１は、ボルトやラグスクリュー等の比較的大型の固定具用の孔であり、小さい方の固定用孔（以下、小孔という）３２は、ビスや釘等の比較的小型の固定具用の孔である。
そして、各固定板部３は、例えば、ボルトを各固定板部３の上記大孔３１、及び該大孔３１に対応させて第１横架材又は鉛直材１に穿設された貫通孔１１に挿通してナット（図示せず）締めすると共に、釘を上記小孔３２に釘を打つことにより、該第１横架材又は鉛直材１に固定することができる。
【００１７】
上記連設板部５，５は、図１に示すように、互いに平行に、それぞれ一対の上記固定板部３，３の外側端部と上記受け板部４の端部との間を連結するように設けられている。各連設板部５の長手方向に沿う中心線は、各固定板部３及び該受け板部４それぞれの面に対して略４５度の角度をなしている。
【００１８】
一対の上記連設板部５，５それぞれには、図１（ａ）に示すように該連設板部５を上記第２横架材２の側面部２ｂに面接固定するためのボルト孔５１及び釘孔５２が穿設されており、該ボルト孔５１及び該ボルト孔５１に対応させて第２横架材１に穿設した貫通孔２１〔図３（ｃ）参照〕に、ボルト（図示せず）を挿通してナット（図示せず）締めすると共に、釘を上記釘孔５２に打つことにより、該連設板部５，５を該第２横架材の両側面２ｂ，２ｂにそれぞれ面接固定できるようになっている。
【００１９】
第１実施形態の横架材接合金具においては、一対の上記固定板部３，３の内側縁同士は互いに接合され、両固定板部３，３は一枚の板状の形態をなしている。このように、固定板部３，３の同士を互いに接合することにより、荷重に対する強度を向上させることができる。
尚、固定板部３，３の端縁同士を接合せずに、一対の固定板部３，３が隙間を介して対向するようにしても良い。
【００２０】
また、一対の上記連設板部５，５それぞれの上方には、上記固定板部３及び上記連設板部５に連設され且つ該連設板部５と同一面上にある補強板部７が延設されている。上記補強板部７は、上記固定板部３と上記連設板部５との連結部において該固定板部３に沿う所定幅の板状体として設けられている。
【００２１】
上記受け板部４は、直線状の両側縁を有する略矩形状の水平板状部であり、その両端部それぞれには上記連設板部５，５が断面Ｌ字状に結合されている。尚、上記固定板部３、上記受け板部４及び上記連設板部５は、それぞれ互いに垂直に設けられている。
【００２２】
上記各固定板部３の上記各固定用孔は、大孔３１及び小孔３２の二種類とも、固定時に挿通された固定具６の頭部が該固定板部３から突出しないように形成されている。
即ち、上記大孔３１は、図１（ｂ）及び図２（ａ）に示されるように、正面視して円形、側面視して碗形の凹陥部３１ａの底部中央部に設けられており、上記固定板部３を第１横架材又は鉛直材に面接固定した状態において、該大孔３１に挿通したボルト６１等の固定具の頭部６ａは、該凹陥部３１ａ内に収まるようになっている。
また、上記小孔３２も同様に、凹陥部３２ａの中心に設けられており、図２（ｂ）に示されるように上記固定板部３を第１横架材又は鉛直材１に面接固定した状態において、該小孔３２に挿通したビス６２や釘等の固定具の頭部６ａは、該凹陥部３２内に収まるようになっている。尚、上記固定板部３における上記各凹陥部３１ａ，３２ａの裏側（面接固定面側）には、突出部３１ｂ、３２ｂ〔図１（ａ）参照〕が形成されている。
【００２３】
次に、第１実施形態の横架材接合金具を用いて、鉛直材１の側面１ａに第２横架材の端部を直角に固定する方法、即ち、第１実施形態の横架材の接合構造の構築方法について説明する。
先ず、図３（ａ）に示すように、鉛直材１の側面１ａに、上記突出部３１ｂに対応する凹部（座堀）１２の形成する。そして、図３（ｂ）に示すように、上記固定板部３，３を該鉛直材１の側面１ａに面接し、該固定板部３，３を固定具６で固定する。尚、上記突出部３２ｂは、固定時に鉛直材１の側面１ａにめり込むため、対応する凹部は形成しなくても良い。
次いで、端面に切欠部等を設けていない端面平滑な第２横架材２を、該端面が上記固定板部３の内面に面接するように上記受け板部４に載置し、一対の上記連設板部５，５を、ボルト５１やビス５２を用いて該第２横架材２の両側面２ｂ，２ｂに面接固定する。
このようにして、第１実施形態の横架材接合金具によれば、第２横架材２の端部に複雑な加工を施すことなく、該第２横架材を鉛直材１や他の第１横架材に容易且つ安定に固定することができる。また、第１実施形態の横架材接合金具によれば、このようにして、接合部の強度に安定性及び強度に優れた本発明の横架材の接合構造を構築することができる。
【００２４】
また、第１実施形態の横架材接合金具によれば、上記固定板部３，３が、第１横架材又は鉛直材１の側面１ａと第２横架材２の端面との間に位置するように設けられているため、第１横架材１の端部の側面に第２横架材２を接合させる場合や、柱等の垂直材に第２横架材２を接合させる場合等においても、強固な接合が可能である。
また、第１実施形態の横架材接合金具によれば、上記補強板部７がリブとして機能し、上記固定板部３の反りが抑制されるので、接合強度に優れる共に、長期間、その優れた強度を維持することができる。
【００２５】
また、第１実施形態の横架材接合金具においては、上記固定板部３，３を第１横架材又は鉛直材の側面１ａに面接固定した際、上記受け板部４の第１横架材又は鉛直材寄りの一側縁４ａと該第１横架材又は鉛直材１の側面１ａとの間に所定の隙間Ｓ〔図３（ｂ）参照〕が形成されるようになっている。
【００２６】
第１実施形態の横架材接合金具は、上記固定板部３を上記第１横架材又は鉛直材１に面接固定した際、上記受け板部４と第１横架材１との間に所定の隙間Ｓが形成されるようになっているため、上記受け板部４に載置した第２横架材２の接合端部の下面が、第２横架材２の第１横架材１との接合部近傍において露出した状態となり、例えば、図３（ｃ）に示すように、第２横架材２の下面に、筋交いを固定するための筋交い固定金物８を当接固定することが可能であり、また、図４に示すように、第２横架材２の下面から上面に至る貫通孔（図示せず）を穿設し、該貫通孔を貫通させてホールダウン金物９を配設することも可能である。同様に、これら以外の構造金物を、第２横架材２と第１横架材１との接合部近傍に適用することも容易である。尚、図４は、本発明の横架材の接合構造の他の実施形態として、第１実施形態の横架材接合金具を用いて、第１横架材１の側面１ａに第２横架材２を直角に固定してなる構造を示す図である。
【００２７】
上記隙間Ｓは、その幅Ｗ〔図１（ａ）参照〕が７ｍｍ〜１５０ｍｍが好ましく、３０ｍｍ〜９０ｍｍがより好ましい。上記隙間Ｓの幅Ｗが７ｍｍ未満であると、該第２横架材２の接合端部に他の構造金物を固定等し難くなり、該幅Ｗが１５０ｍｍ超であると、金具に必要な強度を確保するために、より厚い金属板を用いて本金具を製造しなければならなくなる等の不都合がある。
【００２８】
また、第１実施形態の横架材接合金具は、一枚の金属板を、所定の４箇所において断面Ｌ字形状となるように直角に折曲して形成してある。そのため、効率的に歩留まり良く生産可能である。また、第１実施形態の横架材接合金具は、一対の上記連設板部５の下縁５ａを上記固定板部３に対して傾斜させてある。そのため、連設板部５の下に第２横架材２の側面が三角形状に露出し〔図３（ｃ）参照〕、他の構造金物や建物部材との干渉がより生じ難くなっている。
尚、本発明の横架材接合金具の形成材料としては、梁受け金物やその他の構造金物の材料として通常公知の各種材料を特に制限なく用いることができる。
【００２９】
第１実施形態の横架材の接合構造によれば、他の構造金物や建物部材との干渉をより効果的に回避でき、しかも、第１横架材又は鉛直材１と第２横架材２との間の接合部に優れた接合強度及び強度の安定性が得られる。
例えば、上記固定板部３に上記第２横架材２の端面が隙間なく面接した状態となるため、該受け板部４や連設板部５，５等の変形が効果的に防止され、優れた接合強度、ひいては木造建築物の耐力が長期間安定に維持される。
【００３３】
以上、本発明の横架材の接合構造の好ましい実施形態について説明したが、本発明の横架材の接合構造は、これらの実施形態に制限されず本発明の趣旨を逸脱しない範囲で適宜変更可能である。
【００３４】
例えば、固定板部３に設ける固定用孔は、第１実施形態における大孔３１及び小孔３２の何れか一方のみでも良い。また、大孔３１及び小孔３２を設ける場合、第１実施形態におけるように、大孔３１及び小孔３２の両者について、固定具６の頭部が突出しないようにすることが好ましいが、大孔３１についてのみ頭部の突出しない構成としても良い。
また、固定板部３固定用の固定具６は、図２に示すボルトやビスの他、ラグスクリューであっても良い。但し、頭部の周囲に固定操作用の空間を必要としない固定具が好ましい。
【００３５】
また、上記固定板部は、頭部の一部が固定操作時に被固定材にめり込むような固定具により固定されるようにしてあることが好ましく、例えば、図５に示すような、六角レンチ等の操作具（図示せず）が係合する操作用孔部６３ａを頭部６３の内部に有する固定具であって、固定時の操作に伴って頭部６３の一部分６３ｂが、被固定部材１にめり込むようにしてある固定具６を好ましく用いることができる。図５に示す固定具６は、頭部６３の周囲に放射状に切削用の突起６３ｃを備えており、板状部６３ｄを除く頭部６３の大部分を被固定材１中に埋没させ得るようになっている。かかる固定具により上記固定板部３を固定するようにすれば、第１横架材又は鉛直材１への凹部（座堀）１２の形成が不要となる。
【００３６】
また、上記固定板部３は、上記固定用孔を中央部に有する突出部であって、該固定板部３の固定時に第１横架材又は鉛直材にめり込むようなものを有することが好ましい。
図６に示す横架材接合金具における突出部３３ｂは、図６（ａ）に示すように、横架材接合金具形成用の金属板における上記固定板部３の形成部に貫通孔３３ｃを設けると共に該貫通孔３３ｃの周囲に放射状の切断線３３ｄを入れ、図６（ｂ）に示すように、プレス加工により段部３３ｅを形成すると共に上記各切断線３３ｄ間の各片部３３ｆを斜めに起立させて形成してある。このような突出部３３ｂを有してなる固定板部３は、図６（ｃ）に示すように、固定具６により、座堀等を被固定材である第１横架材又は鉛直材１に設けなくても固定することができ、より横架材の接合作業が簡易となる。尚、本発明における第１横架材及び第２横架材は、それぞれ木造建築物において水平方向に配される部材、例えば梁、桁、胴差、土台、大引き等であり、鉛直材は、鉛直方向に配される部材、例えば柱、間柱である。
【００３７】
また、第１実施形態の横架材接合金具における上記受け板部４の第１横架材又は鉛直材１寄りの一側縁４ａは、該第１横架材又は鉛直材１に平行な直線状としてあるが、筋交い固定金物やホールダウン金物等の他の構造金物等との関係において更に効果的に構造金物同士の干渉を防止するために、該側縁４ａの一部を切り欠いたり該側縁４ａを円弧状に又は多段状に形成する等しても良い。更に、その他の部分の形状、寸法等についても、本発明の趣旨を逸脱しない範囲内において適宜変更可能である。
【００３８】
【発明の効果】
以上の説明から明らかなように、本発明によれば、横架材の端部に複雑な加工を施すことなく、横架材接合金具を用いて、該横架材を他の横架材又は鉛直材に安定に固定することができ、高耐力の横架材の接合構造を提供することができる。
【図面の簡単な説明】
【図１】  図１は、本発明の第１及び第２実施形態の横架材の接合構造に用いた横架材受金具（第１実施形態の横架材接合金具）を示す図で、（ａ）は右側面図、（ｂ）は正面図である。
【図２】  図２は、図１の横架材接合金具の使用時における断面を、固定具の正面図と共に示す図で、（ａ）はボルト等の大型固定具による固定部、（ｂ）は釘等の小型固定具による固定部を示す図である。
【図３】  図３は、図１の横架材接合金具を用いて横架材を鉛直材に固定する様子、及びそれにより得られる、第１発明の横架材の接合構造の一実施形態（第１実施形態）を示す図であり、（ａ）は鉛直材に座堀を形成した状態を示し、（ｂ）は鉛直材に第１実施形態の横架材接合金具を固定した状態を示し、（ｃ）は該横架材接合金具に第２横架材を載置して固定した状態を示す図である。
【図４】  図４は、図１の横架材接合金具を用いて第２横架材を第１横架材の側面に固定して得られる、第２発明の横架材の接合構造の一実施形態（第２実施形態）を示す図である。
【図５】  図５は、固定板部固定用の固定具の他の例を示す断面図である。
【図６】  図６は、本発明の横架材接合金具の更に他の実施形態における要部を説明するための図である。
【図７】  図７は、従来の横架材接合金具を示す斜視図である。
【符号の説明】
１  第１横架材
１ａ  側面
１２  凹部（座堀）
２  第２横架材
２ａ  接合端部
２ｂ  側面
３  固定板部
３ａ  下端
３１  固定用孔（大孔）
３２  固定用孔（小孔）
４  受け板部
４ａ  一側縁
５  連設板部
６  固定具
６ａ  頭部
７  補強板部
８  筋交い固定金物
９  ホールダウン金物
Ｓ  所定の隙間
Ｗ  該隙間の幅
【図１】
0004289703.tif 000002
【図２】
0004289703.tif 000003
【図３】
0004289703.tif 000004
【図４】
0004289703.tif 000005
【図５】
0004289703.tif 000006
【図６】
0004289703.tif 000007
【図７】
0004289703.tif 000008